(57)【特許請求の範囲】
【請求項１】
ＬＥＤまたは有機ＥＬからなる光源を天井面に埋め込み、ドアの回動範囲内に上記光源を位置させるとともに、略床から天井面までに至る高さのドアを設けてなるダウンライトを備えたドア設置構造であって、上記ドアは部屋の内外を仕切るものであって、この部屋の内外では天井面が一面として連続しており、この天井面の上記ドアの部屋外側への開き角度が鋭角となる回動範囲内の位置に上記ＬＥＤまたは有機ＥＬからなる光源が埋め込まれて、この光源が埋め込まれる上記天井面に上記ドアの上端面が近接されているダウンライトを備えたドア設置構造。
【請求項２】
請求項１に記載のダウンライトを備えたドア設置構造において、上記光源が上記部屋の内外間に設けられる出入り口の部屋外側となる廊下側であって、上記ドアの廊下側の開き角度が鋭角となる回動範囲内の天井面に設けられてなるダウンライトを備えたドア設置構造。
【発明の詳細な説明】
【技術分野】
【０００１】
本願発明はドアの設置構造に関するものであり、詳しくは、出入り口に設けられ、天井面にダウンライトを備えたドア設置構造に関するものである。
【背景技術】
【０００２】
従来、天井面に設置され、足元を照らすダウンライトとしては各種のものが知られている。上記公知のダウンライトは単なる照明としてのみならず、用いられる場所に応じてインテリアデザインとしての装飾性や絢爛性も求められ、種々のタイプのものが提案されている。
【０００３】
上記ダウンライトとしては一般的に白熱灯が用いられているが、白熱灯は白熱球を光源とするため発光と同時に発熱する。そこで、白熱球を光源とするダウンライトを用いるとき、光が当たる部分について、その熱対策を講じる必要がある。
【０００４】
例えば、実用新案登録第３１３７２５９号公報には、開閉可能に支持された扉本体と、熱反射率が高い材料で構成されて耐熱性を有するとともに、該扉本体の端面に配置される帯状耐熱部材とからなる耐熱扉が開示されている。
【０００５】
上記帯状耐熱部材としては、熱反射率が高い金属製の薄膜、例えばアルミの薄膜が用いられる。そして、この帯状耐熱部材が扉上面全面に配置されていることが好ましいが、扉上面の一部、例えばダウンライトに近接する部分に配置されているものでもよいと記載されている。
【０００６】
また、扉本体が開状態のときにその側面や下面に近接する位置に白熱灯がある場合には、上記帯状耐熱部材は扉本体の側面や下面に配置してもよいとも記載されている。
【０００７】
その効果としては、上記帯状耐熱部材を用いた場合、扉が開閉される部分の天井にダウンライト（白熱灯）が配置され、該扉上面が加熱されても、白熱灯の光が当たる部分でも焦げないように白熱灯の熱から扉を保護することができる、と述べられている。
【先行技術文献】
【特許文献】
【０００８】
【特許文献１】実用新案登録第３１３７２５９号公報
【発明の概要】
【発明が解決しようとする課題】
【０００９】
しかしながら、上記特許文献１に記載の技術においては、特許文献１の図１に示されているように、扉の上端面に、例えばアルミ薄膜からなる帯状の耐熱部材を貼り付ける必要があり、製造工程に手間のかかる作業が加わるという問題がある。
【００１０】
さらに、特許文献１の図３に符号１２ａで示されているように、帯状の耐熱部材を扉の側面に貼り付けたときは、手間のかかる作業が加わるという問題に加えて扉の目立つ側端面に帯状耐熱部材が貼着され、扉全体がデザイン性に劣ったものとなるという問題も生じる。
【００１１】
本願発明は上記背景技術に鑑みてなしたものであり、その目的は、例えば、アルミ薄膜を帯状に形成した耐熱部材を用いることなく、部屋の出入口に設けられ、足元を明るく照らすことができるダウンライトを備えるとともに、安全で、かつデザイン性に優れたドア設置構造を提供することである。
【課題を解決するための手段】
【００１２】
上記課題を解決するために、本願請求項１に記載の発明に係るダウンライトを備えたドア設置構造では、ＬＥＤまたは有機ＥＬからなる光源を天井面に埋め込み、ドアの回動範囲内に上記光源を位置させるとともに、略床から天井面までに至る高さのドアを設けてなるダウンライトを備えたドア設置構造であって、上記ドアは部屋の内外を仕切るものであって、この部屋の内外では天井面が一面として連続しており、この天井面の上記ドアの部屋外側への開き角度が鋭角となる回動範囲内の位置に上記ＬＥＤまたは有機ＥＬからなる光源が埋め込まれて、この光源が埋め込まれる上記天井面に上記ドアの上端面が近接されていることを特徴としている。
【００１３】
上記ＬＥＤは発光ダイオード素子を光源として用いるものであり、発光時には多少の電力を消費するが白熱灯に比較して非常に少なく、省エネ効果の高い照明手段であり、したがって発熱量も少ない。また、有機ＥＬはガラス基板またはプラスチック基板に発光性の有機個体結晶を１μｍ以下の厚さで設層したものであり、ＬＥＤ同様に少ない消費電力で白熱灯と同じ程度の明るさを得ることができる。
【００１４】
上記ドアとしては、住宅内の部屋と部屋とを仕切るもの、部屋と廊下とを仕切るもの、キッチンやパウダールーム、収納室用等各種のドアをあげることができる。さらに住宅内に限られず、ホテルのエントランス・ラウンジ・パーテイ会場、オフィスビル大会議室、冠婚葬祭式場、ステーションビル・空港内施設、地下街通路、大型商業施設、各種公共施設等に用いられるドアにも適用することができる。
【００１５】
本願請求項２に記載の発明に係るダウンライトを備えたドア設置構造では、本願請求項１に記載のダウンライトを備えたドア設置構造において、上記光源が上記部屋の内外間に設けられる出入り口の部屋外側となる廊下側であって、上記ドアの廊下側の開き角度が鋭角となる回動範囲内の天井面に設けられてなることを特徴としている。
【００１６】
上記鋭角としては好ましくは約６０°以下、さらに好ましくは４５°以下の鋭角であり、その範囲内の廊下側の天井面に埋め込んで設けられる。
【００１７】
また、上記ダウンライトを備えたドア設置構造では、上記光源が上記ドアを回動自在に軸支する支点からドアの幅に相当する長さの半分までの長さ位置の天井面に埋設されたことを特徴としている。
【００１８】
上記支点として用いられるものは、公知の蝶番ないしはヒンジ、ピポットヒンジ等をあげることができる。
【発明の効果】
【００１９】
本願請求項１記載の発明に係るダウンライトを備えたドア設置構造においては、ダウンライトとしてＬＥＤまたは有機ＥＬからなる光源を天井面に埋め込んで用いるため、発光に伴う発熱が非常に少なく、白熱灯を使用する場合より遙かに少ない消費電力で足元を明るく照らすことができる。したがって、低コスト化を図ることができ、省エネ効果も得ることができる。
【００２０】
そして、明るい照明によって足元や室内の小家具も十分に視認可能となり、例えば廊下から部屋に入ったとき、ダストボックス等の小家具に蹴つまずいて転倒するといった事故を防ぐことができる。
【００２１】
また、ドアを回動させてドアの上端面がダウンライトの直下に近接した位置にあっても、熱によって上端面が変質して色変りする、あるいは焦げる、最悪の場合は発火するという事故をなくすことができる。
【００２２】
さらに、ダウンライトに近接してドアの上端面を天井面近くに配設することができるため、床から天井面まで延出する丈の高いデザイン性に優れたドアを設けることが可能となる。また、ドアを開けたとき、出入り口の上方を開放感あるものとし、ゴージャスな感じを与えることができる。さらに物を持って出入りするとき、背の高い物品を横に寝かすことなく、そのまま容易に搬入することができる。
【００２３】
本願請求項２記載の発明に係るダウンライトを備えたドア設置構造においては、上記光源を例えば、応接室の出入り口の廊下側であって、上記ドアの廊下側の開き角度が鋭角の回動範囲内の天井面に設けることにより、入室時に足元が照明されるとともに、ドアを少し開けただけで廊下側の天井面に埋設されたダウンライトの光が室内へも射し込んで明るくなるため、安心して部屋に入ることができる。
【００２４】
また、ＬＥＤまたは有機ＥＬからなる光源が上記ドアを閉じた位置から鋭角の範囲内でかつ、上記ドアを回動自在に軸支する支点からドアの上端部の幅の半分までの長さ位置の出入り口に近い天井面に埋設した場合、さらに明るく、強力に足元および、室内を照明することができる。
【図面の簡単な説明】
【００２５】
【図１】本願発明に係るダウンライトを備えたドア設置構造を示す説明図。
【図２】ドアが閉じられているときの図１におけるＸ−Ｘ線に沿う縦断面図。
【図３】ダウンライトがドアを軸支する支点からドアの幅に相当する長さの半分までの長さ位置の廊下側の天井面に埋設された形態を示す横断面説明図。
【発明を実施するための形態】
【００２６】
以下、本願発明に係るダウンライトを備えたドア設置構造の実施形態を、図面を参照して詳細に説明する。本実施形態においては、ダウンライトとしてＬＥＤを光源とするＬＥＤ灯を用いた場合について説明する。
【００２７】
図１は、上記ダウンライトを備えたドア設置構造を示す説明図である。図２は、図１におけるＸ−Ｘ線に沿う縦断面図である。図１において、ドア１は建物の内部における廊下に面した部屋の出入り口３に設置され、部屋と廊下とは壁Ｗで仕切られている。
【００２８】
上記ＬＥＤ灯は、複数のＬＥＤとこれらを実装する光源基板、リフレクタ、蛍光体入りの透光性封止樹脂、バッフル等を含む多数の構成要素からなり、円形の光源基板は、そのＬＥＤが実装されていない裏面を本体主部の底壁の下面に密に面接触して光源収容部に配置されている。
【００２９】
上記複数のＬＥＤは、光源基板の中心部の周りに一定間隔で設けられ、電源からの電力によって発光する。これらのＬＥＤは、例えば、青色発光をするＬＥＤチップ、このチップを囲むリフレクタと、このリフレクタ内に充填され、ＬＥＤチップを封止した蛍光体入りの透光性封止樹脂とを有して形成されている。
【００３０】
上記透光性封止樹脂に混入された蛍光体には、ＬＥＤチップが発した青色の光によって励起されて、青色の光に対して補色の関係にある黄色の光を主として放射する黄色の蛍光体が用いられている。したがって、各ＬＥＤは白色の光を投射する。
【００３１】
投射された白色の光は白色の合成樹脂からなるバッフルおよびこの内側に位置する透光板等を透過してダウンライト２から下方に照射される。
【００３２】
図１に示されているように、上記ダウンライト２は天井面Ａに埋設されている。更に、該ダウンライト２は出入り口３の廊下側で、かつ、上記ドア１の廊下側の開き角度αが鋭角の回動範囲内の位置の天井面Ａに設置される。同図においてはドア位置Ｂの半開きのドア（開き角度α）を点線で示している。
【００３３】
図２はドアが閉じられているときの縦断面図を示し、ドア１は略床Ｆから天井面Ａまでに至る高さとなっている。図２においてもドア位置Ｂの半開きのドア（開き角度α）を点線で示している。
【００３４】
図１、図２に示すように、ドア１は略床Ｆから天井面Ａまでに至る高さとなっているので、背の高い洗練されたデザイン性のよいドアとすることができる。
【００３５】
加えてドア１を開けたとき、上方への開放感があり、ダウンライト２の下で部屋と廊下とが一体となって部屋全体にゴージャスな感じを与え、快適空間を演出することができる。さらに物を持って出入りするとき、背の高い物品を横にせずそのまま、容易に搬入したり、収納したりすることができる。
【００３６】
また、図１において、点線で示す位置Ｂにドア１を回動させたとき、ドア１の上端面１１はダウンライト２の直下に近接する。しかしながら、ダウンライト２はＬＥＤを光源としているため、発光に伴う発熱が非常に少なく、従来白熱灯を光源としていた場合のようにドア１の上端面１１が変質する、あるいは焦げるという熱による悪影響を避けることができる。
【００３７】
上記したように、ダウンライト２はドア１を閉じた位置から開き角度αが鋭角の回動範囲内の天井面Ａに設置されているため、ダウンライト２が足元を照明するとともに、ドア１を少し開けただけで廊下側の天井面Ａから下方へ照射される光が部屋の内部まで射し込み、室内が照明される。そして、例えばダストボックス等の小家具が入室者の障害となり、蹴つまずいて転倒するといった事故を防ぐことができる。
【００３８】
図３は、上記ＬＥＤを光源とするダウンライト２をドア１を軸支する支点４からドアの幅ｄに相当する長さの半分の長さ位置の廊下側の天井面に埋設した形態を示す横断面説明図である。図３に示すように、ダウンライト２が上記ドアを閉じた位置からその開き角度αが鋭角の回動範囲内の位置でかつ、部屋に近い天井面Ａに埋設されているため、さらに明るく、強力に足元および、室内を照明することができる。
【００３９】
なお、上記実施形態は、光源としてＬＥＤを用いた場合について説明したが、光源として有機ＥＬを用いた場合にも同様の作用効果を得ることができる。
【００４０】
また、上記実施形態においては、ドアは建物の内部における廊下に面した部屋、例えば応接室の出入り口に設けた場合ついて説明したが建物内に限られず、ホテルのエントランス・ラウンジ・パーテイ会場、オフィスビル大会議室、冠婚葬祭式場、ステーションビル・空港内施設、地下街通路、大型商業施設、各種公共施設への出入り口にも適用できる。このように本願発明は設計変更自在であり、特許請求の範囲を逸脱しない限り、本願発明の技術的範囲に含まれる。
【符号の説明】
【００４１】
Ａ      天井面
Ｆ      床面
Ｗ      部屋と廊下とを仕切る壁
Ｂ      ドアの回動位置
ｄ      ドアの幅
α      ドアの開き角度
１      ドア
１１    上端面
２      ダウンライト
３      出入り口
４      支点
【図１】
0005617604.tif 000002
【図２】
0005617604.tif 000003
【図３】
0005617604.tif 000004